(57)【要約】【課題】スイッチング電源装置において、異なる値の電源電圧が装置に供給されたとしても、装置内の制御ＩＣへの供給電圧を略一定に保つよう調整し、かつ、その調整に伴う電力損失を減らす。【解決手段】スイッチング電源装置２においては、電源電圧が第１電圧か、それよりも高い第２電圧であるかに応じて、供給経路Ｌ１に挿入したトランジスタＴｒ１が導通／非導通状態となり、タップＷ３１−タップＷ３３間／タップＷ３２−タップＷ３３間に誘起されるフォワード電圧が供給経路Ｌ１／供給経路Ｌ２を通して制御ＩＣ４に供給される。そのため、第１、第２電圧のいずれが電源電圧として供給されたとしても、制御ＩＣ４への供給電圧を略一定に保つことができる。しかも、その調整を、トランジスタＴｒ１のスイッチング動作により行うことができ、そのため、従来と比べて、電圧ドロッパは無くて済み、電圧ドロップによる電力損失が無くなる。【選択図】図１
2011155773.tif 000002
【特許請求の範囲】
【請求項１】
１次巻線に供給される電源電圧を２次巻線及び３次巻線に伝達するフライバックトランスと、
前記１次巻線への電源電圧供給をスイッチングするスイッチング素子と、
前記スイッチング素子の動作を制御する制御回路と、
前記スイッチング素子の動作により前記２次巻線に誘起されるフライバック電圧を平滑化して負荷に出力する出力回路と、
前記スイッチング素子の動作により前記３次巻線に誘起されるフォワード電圧を平滑化し、前記制御回路にその電源として供給する駆動回路と、を備えたスイッチング電源装置において、
前記駆動回路は、前記３次巻線の両端間に誘起されるフォワード電圧を前記制御回路に供給する第１の供給経路と、前記３次巻線の中間タップに誘起されるフォワード電圧を前記制御回路に供給する第２の供給経路と、前記第１及び第２の供給経路を切り替える切替回路と、を有し、
前記切替回路は、前記第１の供給経路に挿入され、該供給経路を導通／非導通状態にするスイッチ素子である第１のトランジスタと、前記第１のトランジスタの導通／非導通状態を切替制御する第２のトランジスタとを有し、
前記第２のトランジスタは、前記中間タップのフォワード電圧が閾値未満であれば前記第１のトランジスタを導通状態とし、閾値以上であれば該第１のトランジスタを非導通状態とするように構成されており、
前記電源電圧が第１の電圧であるとき、前記第２のトランジスタにより前記第１のトランジスタは導通状態とされ、前記３次巻線の両端間に誘起されるフォワード電圧が前記第１の供給経路を介して前記制御回路に供給され、
前記電源電圧が前記第１の電圧よりも高い第２の電圧であるとき、前記第２のトランジスタにより前記第１のトランジスタは非導通状態とされ、前記中間タップに誘起されるフォワード電圧が前記第２の供給経路を介して前記制御回路に供給されることを特徴とするスイッチング電源装置。
【請求項２】
前記第１のトランジスタのベースとグランドとの間には、前記制御回路への供給電圧を規定値以下に保つためのツェナーダイオードが配置されていることを特徴とする請求項１に記載のスイッチング電源装置。
【請求項３】
前記第２のトランジスタのベースには、該ベースに入るノイズを減衰させるための、接地された抵抗素子が接続されていることを特徴とする請求項１又は請求項２に記載のスイッチング電源装置。
【請求項４】
請求項１乃至請求項３のいずれか一項に記載のスイッチング電源装置と、
前記スイッチング電源装置の出力回路による出力電圧により駆動されて映像を表示する表示手段と、を備えたことを特徴とする映像表示機器。
【発明の詳細な説明】
【技術分野】
【０００１】
本発明は、トランスの１次巻線への電源供給をスイッチング制御し、電磁誘導により２次巻線から出力を得るスイッチング電源装置及びこれを備えた映像表示機器に関する。
【背景技術】
【０００２】
従来のスイッチング電源装置を備えた映像表示機器の回路構成を図２に示す。この映像表示機器１０１は、スイッチング電源装置（以下、電源装置という）１０２と、電源装置１０２からの出力電圧により駆動されるモニタ１０３ａ及びリモコン受信回路１０３ｂとを備える。
【０００３】
電源装置１０２は、商用電源ＣＰ１からの交流電圧（以下、電源電圧という）を整流する整流回路ＢＤ１と、整流回路ＢＤ１により整流された脈流電圧を平滑化するコンデンサＣ１と、その平滑化された電圧が１次巻線Ｗ１に印加されるフライバックトランス（以下、トランスという）Ｔ１と、１次巻線Ｗ１への電源電圧印加をスイッチングするスイッチング素子Ｑ１とを備える。トランスＴ１は、そのスイッチング動作により電圧が誘起される２次巻線Ｗ２１、Ｗ２２と、３次巻線Ｗ３（バイアス巻線）とを有する。
【０００４】
また、電源装置１０２は、スイッチング素子Ｑ１のスイッチング動作を制御する制御ＩＣ１０４と、上記スイッチング動作により２次巻線Ｗ２１、Ｗ２２に誘起される電圧をそれぞれモニタ１０３ａ、リモコン受信回路１０３ｂに出力する出力回路１０５ａ、１０５ｂ（以下、出力回路１０５と総称）と、上記スイッチング動作により３次巻線Ｗ３に誘起される電圧を制御ＩＣ１０４にその電源Ｖｃｃとして出力する駆動回路１０６とを備える。制御ＩＣ１０４は、各出力回路１０５による出力電圧を定格出力電圧に保つようにスイッチング素子Ｑ１のスイッチング動作のデューティ比をフィードバック制御する。各出力回路１０５、駆動回路１０６は、それぞれ、２次巻線Ｗ２１、Ｗ２２、３次巻線Ｗ３に誘起される電圧のうち、フライバック電圧のみをダイオードＤ１１、Ｄ１２、Ｄ２により取り出し、それらをコンデンサＣ２１、Ｃ２２、Ｃ３により平滑化してモニタ１０３ａ、リモコン受信回路１０３ｂ、制御ＩＣ１０４に供給する。これにより、制御ＩＣ１０４はフライバック電圧を電源Ｖｃｃとする。
【０００５】
しかしながら、出力回路１０５による出力電圧を低下させるため、スイッチング素子Ｑ１のデューティ比が小さくされ、２次巻線Ｗ２１、Ｗ２２のフライバック電圧が例えば数分の１程度にまで低くなったときには、３次巻線Ｗ３のフライバック電圧も同程度に低下し、制御ＩＣ１０４への供給電圧がその駆動に必要な電圧よりも低くなることがある。このため、制御ＩＣ１０４の動作が停止することがある。
【０００６】
そこで、スイッチング素子のデューティ比が小さくなっても、制御ＩＣへの電源供給に影響が生じ難くするため、３次巻線に誘起されるフォワード電圧を制御ＩＣの電源に利用する電源装置が知られている。
【０００７】
ところで、電源電圧は、国又は地域によって異なることがあり、同一の国又は地域であっても用途に応じて異なることがある。しかしながら、上記電源装置はこれに対応しておらず、電源電圧が変わると、３次巻線に誘起されるフォワード電圧も変化し、これにより、制御ＩＣへの供給電圧も変わってしまう。そのため、制御ＩＣの動作が停止したり、故障したりする虞がある。
【０００８】
そこで、上記電源装置において、電源電圧が異なったとしても、制御ＩＣへの供給電圧を調整して制御ＩＣの駆動可能な範囲内に収める駆動回路を有するものが知られている（例えば、特許文献１参照）。この電源装置の駆動回路は、一端が接地された３次巻線の他端に誘起されるフォワード電圧（以下、第１供給電圧という）と、３次巻線の中間タップに誘起されるフォワード電圧（以下、第２供給電圧という）とを、それぞれ、制御ＩＣに電源として供給し得る第１供給経路と、第２供給経路とを有する。第１供給経路にはトランジスタにより構成される電圧ドロッパが設けられている。また、各供給経路には、逆流防止用のダイオードが配置されている。
【０００９】
この電源装置の駆動回路においては、第１供給電圧が所定電圧未満であるとき、電圧ドロッパによりドロップされた第１供給電圧が第２供給電圧よりも高くなり、従って、第１供給経路が導通状態になり、第２供給経路が非導通状態になる。このため、第１供給電圧が電圧ドロッパを介して制御ＩＣに供給される。これに対して、第１供給電圧が所定電圧以上のときには、電圧ドロッパによりドロップされた第１供給電圧が第２供給電圧以下になり、従って、第１供給経路が非導通状態になり、第２供給経路が導通状態になる。このため、第２供給電圧が電圧ドロッパを介さずに制御ＩＣに供給される。これにより、電源電圧が小さいときにのみ、電圧ドロッパを介して制御ＩＣに電源が供給されるので、電圧ドロップは小さく済み、電圧ドロッパにおける電力損失が低減される。
【００１０】
ところで、異なる値の電源電圧が装置に供給されたとしても、装置内の制御ＩＣへの供給電圧を略一定に保つよう調整し、しかも、その調整に伴う電力損失を、特許文献１に記載の電源装置よりも、さらに減らして、省電力化の向上を図りたいとの要望がある。
【００１１】
上記のような、異なる複数の値の電源電圧が供給されても、装置内の制御ＩＣに略一定の電源を供給する電源装置ではないが、異なる複数の値の電源電圧が供給されても出力回路から負荷への出力電圧は略一定となるように構成された電源装置が知られている。このような電源装置としては、電源電圧に応じて、トランスの１次巻線数と、スイッチング素子のスイッチング動作の最大デューティ比とを切り替える電源装置（例えば、特許文献２参照）、電源電圧に応じてトランスの２次巻線数をリレーで切り替える電源装置（例えば、特許文献３参照）が知られている。しかしながら、これらの電源装置においては、上記の要望を満たすことは難しい。
【先行技術文献】
【特許文献】
【００１２】
【特許文献１】特開２０００−１５２６２６号公報
【特許文献２】特開平２−８４０６１号公報
【特許文献３】実開昭５７−８９３８２号公報
【発明の概要】
【発明が解決しようとする課題】
【００１３】
本発明は、上記の従来の問題を解決するためになされたものであり、異なる値の電源電圧が装置に供給されたとしても、装置内の制御回路への供給電圧を略一定に保つよう調整することができ、しかも、その調整に伴う電力損失を減らして、省電力化の向上を図ることができるスイッチング電源装置及びこれを備えた映像表示機器を提供することを目的とする。
【課題を解決するための手段】
【００１４】
上記目的を達成するために請求項１の発明は、１次巻線に供給される電源電圧を２次巻線及び３次巻線に伝達するフライバックトランスと、前記１次巻線への電源電圧供給をスイッチングするスイッチング素子と、前記スイッチング素子の動作を制御する制御回路と、前記スイッチング素子の動作により前記２次巻線に誘起されるフライバック電圧を平滑化して負荷に出力する出力回路と、前記スイッチング素子の動作により前記３次巻線に誘起されるフォワード電圧を平滑化し、前記制御回路にその電源として供給する駆動回路と、を備えたスイッチング電源装置において、前記駆動回路は、前記３次巻線の両端間に誘起されるフォワード電圧を前記制御回路に供給する第１の供給経路と、前記３次巻線の中間タップに誘起されるフォワード電圧を前記制御回路に供給する第２の供給経路と、前記第１及び第２の供給経路を切り替える切替回路と、を有し、前記切替回路は、前記第１の供給経路に挿入され、該供給経路を導通／非導通状態にするスイッチ素子である第１のトランジスタと、前記第１のトランジスタの導通／非導通状態を切替制御する第２のトランジスタとを有し、前記第２のトランジスタは、前記中間タップのフォワード電圧が閾値未満であれば前記第１のトランジスタを導通状態とし、閾値以上であれば該第１のトランジスタを非導通状態とするように構成されており、前記電源電圧が第１の電圧であるとき、前記第２のトランジスタにより前記第１のトランジスタは導通状態とされ、前記３次巻線の両端間に誘起されるフォワード電圧が前記第１の供給経路を介して前記制御回路に供給され、前記電源電圧が前記第１の電圧よりも高い第２の電圧であるとき、前記第２のトランジスタにより前記第１のトランジスタは非導通状態とされ、前記中間タップに誘起されるフォワード電圧が前記第２の供給経路を介して前記制御回路に供給されるものである。
【００１５】
請求項２の発明は、請求項１に記載のスイッチング電源装置において、前記第１のトランジスタのベースとグランドとの間には、前記制御回路への供給電圧を規定値以下に保つためのツェナーダイオードが配置されているものである。
【００１６】
請求項３の発明は、請求項１又は請求項２に記載のスイッチング電源装置において、前記第２のトランジスタのベースには、該ベースに入るノイズを減衰させるための、接地された抵抗素子が接続されているものである。
【００１７】
請求項４の発明は、請求項１乃至請求項３のいずれか一項に記載のスイッチング電源装置と、前記スイッチング電源装置の出力回路による出力電圧により駆動されて映像を表示する表示手段と、を備えた映像表示機器である。
【発明の効果】
【００１８】
請求項１の発明によれば、電源電圧が第１の電圧であるか、それよりも高い第２の電圧であるかに応じて、第１の供給経路に挿入した第１のトランジスタが導通又は非導通状態となり、これにより、３次巻線の両端間又は中間タップのフォワード電圧が、第１又は第２の供給経路を通して制御回路にその電源として供給されるので、第１、第２の電圧のいずれが電源電圧として供給されたとしても、制御回路への供給電圧を略一定に保つよう調整することができる。しかも、その調整を、第１のトランジスタのスイッチング動作により行うことができ、そのため、従来と比べて、電圧ドロッパは無くて済み、電圧ドロップによる電力損失が無くなり、結果として、上記調整に伴う電力損失を減らすことができ、省電力化の向上を図ることができる。
【００１９】
請求項２の発明によれば、第１のトランジスタが導通状態となり、第１の供給経路から制御回路へフォワード電圧が供給されるとき、第２の供給経路から第１の供給経路への切替等に起因してそのフォワード電圧にノイズが乗り、当該電圧が想定範囲を超えたとしても、ツェナーダイオードによりそのフォワード電圧を規定値まで低下させることができるので、制御回路への過電圧供給による故障を防止することができる。
【００２０】
請求項３の発明によれば、ベースへのノイズ入力に起因した第２のトランジスタの誤動作を防ぐことができ、従って、第２のトランジスタによる第１のトランジスタの状態切替制御が高精度となり、そのため、制御回路への供給電圧の調整精度が高くなる。
【図面の簡単な説明】
【００２１】
【図１】本発明の一実施形態に係る映像表示機器の回路図。
【図２】従来の映像表示機器の回路図。
【発明を実施するための形態】
【００２２】
以下、本発明の一実施形態に係る映像表示機器について図面を参照して説明する。図１は、本実施形態の映像表示機器の構成を示す。この映像表示機器１は、スイッチング電源装置（以下、電源装置という）２と、電源装置２からの出力電圧により駆動される負荷として、映像を表示するモニタ３ａ（表示手段）及びリモコン受信回路３ｂ等を備える。リモコン受信回路３ｂは不図示のリモコンからの無線信号を受信する回路である。負荷は上記に限定されない。
【００２３】
電源装置２は、商用電源ＣＰ１から供給される交流電圧（電源電圧）を整流する整流回路ＢＤ１と、整流回路ＢＤ１により整流された脈流電圧を平滑化するコンデンサＣ１と、その平滑化された電圧が印加されるフライバックトランスＴ１とを有する。フライバックトランスＴ１は、その一次巻線Ｗ１に供給される上記平滑化された電圧を、電磁誘導により、２次巻線Ｗ２１、Ｗ２２と、３次巻線Ｗ３（バイアス巻線）とに伝達する。
【００２４】
また、電源装置２は、１次巻線Ｗ１への電源電圧供給をスイッチングするスイッチング素子Ｑ１と、スイッチング素子Ｑ１のスイッチング動作のデューティ比を制御する制御ＩＣ４（制御回路）と、スイッチング素子Ｑ１のスイッチング動作により２次巻線Ｗ２１、Ｗ２２（以下、２次巻線Ｗ２と総称）に誘起されるフライバック電圧をそれぞれモニタ３ａ、リモコン受信回路３ｂに出力する出力回路５ａ、５ｂ（以下、出力回路５と総称）と、スイッチング素子Ｑ１の動作により３次巻線Ｗ３に誘起されるフォワード電圧を制御ＩＣ４の電源Ｖｃｃとして制御ＩＣ４に供給する駆動回路６とを備える。駆動回路６は、電源電圧が第１電圧（第１の電圧）とそれよりも高い第２電圧（第２の電圧）のいずれであったとしても、略一定の電源Ｖｃｃを制御ＩＣ４へ供給するように構成されている。第２電圧は例えば第１電圧の略２倍である。出力回路５は図示した数に限定されない。
【００２５】
フライバックトランスＴ１においては、スイッチング素子Ｑ１がオンのときにトランスの鉄心にエネルギーが蓄積され、そのエネルギーが、スイッチング素子Ｑ１がオフのときに鉄心から２次巻線Ｗ２及び３次巻線Ｗ３に伝達され、２次巻線Ｗ２及び３次巻線Ｗ３からそれぞれ電圧が出力される。これらの電圧がフライバック電圧と呼ばれる。スイッチング素子Ｑ１がオンのときにも２次巻線Ｗ２及び３次巻線Ｗ３から電圧が出力され、これらの電圧がフォワード電圧と呼ばれる。フライバック電圧とフォワード電圧の極性は逆である。３次巻線Ｗ３は、３個のタップＷ３１、Ｗ３２、Ｗ３３を有する。タップＷ３１、Ｗ３３は３次巻線Ｗ３の両端のタップであり、タップＷ３３は接地されている。タップＷ３２は中間タップである。
【００２６】
制御ＩＣ４は、出力回路５の出力電圧を検出する出力検出回路（図示せず）による検出結果に基づき、当該出力電圧を定格電圧に保つようにスイッチング素子Ｑ１のオン・オフのデューティ比をフィードバック制御する。制御ＩＣ４とスイッチング素子Ｑ１との間には、電流制御用の抵抗素子（以下、抵抗という）Ｒ１が挿入されている。
【００２７】
出力回路５ａ、５ｂは、それぞれ、フライバック電圧のみをモニタ３ａ、リモコン受信回路３ｂに供給するためのダイオードＤ１１、Ｄ１２と、モニタ３ａ、リモコン受信回路３ｂに供給されるフライバック電圧を平滑化するためのコンデンサＣ２１、Ｃ２２とを有する。
【００２８】
駆動回路６は、制御ＩＣ４に電源Ｖｃｃを供給する２種の供給経路Ｌ１、Ｌ２（第１、第２の供給経路）と、供給経路Ｌ１、Ｌ２を切り替える切替回路６１と、供給経路Ｌ１、Ｌ２に共用されるアースラインＬ３とを有する。供給経路Ｌ１は、３次巻線Ｗ３のタップＷ３１、Ｗ３３間に誘起されるフォワード電圧（タップＷ３１の対地フォワード電圧）を制御ＩＣ４に供給する経路であり、供給経路Ｌ２は、３次巻線Ｗ３のタップＷ３２、Ｗ３３間に誘起されるフォワード電圧（タップＷ３２の対地フォワード電圧）を制御ＩＣ４に供給する経路である。供給経路Ｌ１、Ｌ２は、それぞれ、フォワード電圧のみを制御ＩＣ４に供給するためのダイオードＤ３、Ｄ４を含み、また、制御ＩＣ４に供給するフォワード電圧を平滑化するためのコンデンサＣ３、Ｃ４を含む。さらに、供給経路Ｌ１、Ｌ２は、それぞれ、他の供給経路からの電流の回り込みを防ぐためのダイオードＤ５、Ｄ６を含む。
【００２９】
切替回路６１は、供給経路Ｌ１に挿入され、供給経路Ｌ１を導通／非導通状態にするスイッチ素子であるトランジスタＴｒ１（第１のトランジスタ）と、第１トランジスタＴｒ１の導通／非導通状態を、タップＷ３２に誘起されるフォワード電圧に応じて切替制御するトランジスタＴｒ２（第２のトランジスタ）とを有する。トランジスタＴｒ１、Ｔｒ２は、それぞれ、ＮＰＮ型トランジスタにより構成される。トランジスタＴｒ２はエミッタ接地され、そのコレクタがトランジスタＴｒ１のベースと接続されており、トランジスタＴｒ１、Ｔｒ２は２段に接続されている。
【００３０】
トランジスタＴｒ１のベースとグランドとの間には、制御ＩＣ４への供給電圧を規定値以下に保つためのツェナーダイオードＺＤ１が配置されており、トランジスタＴｒ１のコレクタ−ベース間には、抵抗Ｒ２が並列に接続されている。
【００３１】
トランジスタＴｒ２のベースには、コンデンサＣ４による平滑化電圧が、ツェナーダイオードＺＤ２及び電流制御用の抵抗Ｒ３を介して入力される。また、トランジスタＴｒ２のベースには、そのベースに入るノイズを減衰させるための、接地された抵抗Ｒ４が接続されている。
【００３２】
ここで、切替回路６１による切替制御について説明する。電源電圧が第１電圧であり、これにより、タップＷ３２−タップＷ３３間のフォワード電圧が閾値未満となったとき、
ツェナーダイオードＺＤ２への印加電圧がツェナー電圧未満となり、ツェナーダイオードＺＤ２が非導通状態となる。そのため、トランジスタＴｒ２のベース電位が抵抗Ｒ４によりプルダウンされてグランド電位となり、従って、トランジスタＴｒ２がオフする。その結果、タップＷ３１−タップＷ３３間のフォワード電圧により抵抗Ｒ２を介してトランジスタＴｒ１のベースに電流が入力され、トランジスタＴｒ１は導通状態となる。このとき、供給経路Ｌ１による供給電圧は、供給経路Ｌ２のそれよりも高いので、供給経路Ｌ２による電源供給はダイオードＤ６により規制されて、供給経路Ｌ１が入状態、供給経路Ｌ２が切状態となる。
【００３３】
一方、電源電圧が第２電圧であり、これにより、タップＷ３２、Ｗ３３間のフォワード電圧が閾値以上となったときには、ツェナーダイオードＺＤ２への印加電圧がツェナー電圧以上となり、ツェナーダイオードＺＤ２が導通状態となる。そのため、トランジスタＴｒ２がオンし、トランジスタＴｒ１はそのベースがグランド電位に引き込まれてオフし、その結果、供給経路Ｌ１は切状態となる。従って、供給経路Ｌ２により制御ＩＣ４に電圧が供給されることになる。すなわち、供給経路Ｌ２が入状態となる。
【００３４】
次に、映像表示機器１の動作について説明する。電源電圧が第１電圧であり、例えば、略１００Ｖであるときには、供給経路Ｌ１が入状態、供給経路Ｌ２が切状態となり、その結果、３次巻線Ｗ３の両端のタップＷ３１、Ｗ３３間のフォワード電圧が供給経路Ｌ１を介して制御ＩＣ４に供給される。一方、電源電圧が第２電圧であり、例えば、略２００Ｖであるときには、供給経路Ｌ１が切状態、供給経路Ｌ２が入状態となり、その結果、タップＷ３２に誘起されるフォワード電圧が供給経路Ｌ２を介して制御ＩＣ４に供給される。すなわち、電源電圧が第１／第２電圧のいずれであるかに応じて切替回路６１により供給経路Ｌ１、Ｌ２が切り替えられ、結果として、その電源電圧の値に係わらず制御ＩＣ４に略一定の電圧が供給される。
【００３５】
上記のように構成された映像表示機器１においては、電源電圧が第１電圧／第２電圧のいずれであるかに応じて、供給経路Ｌ１に挿入したトランジスタＴｒ１が導通／非導通状態となり、これにより、タップＷ３１とタップ３３との間のフォワード電圧、又はタップＷ３２とタップ３３との間のフォワード電圧が、供給経路Ｌ１／供給経路Ｌ２を通して制御ＩＣ４にその電源として供給される。このため、第１、第２電圧のいずれが電源電圧として供給されたとしても、制御ＩＣ４への供給電圧を略一定に保つよう調整することができる。しかも、その調整を、トランジスタＴｒ１のスイッチング動作により行うことができ、そのため、従来と比べて、電圧ドロッパは無くて済み、電圧ドロップによる電力損失が無くなる。結果として、上記調整に伴う電力損失を減らすことができ、省電力化の向上を図ることができる。
【００３６】
また、トランジスタＴｒ１が導通状態となり、供給経路Ｌ１から制御ＩＣ４へフォワード電圧が電源として供給されるときに、供給経路Ｌ２から供給経路Ｌ１への切替等に起因してそのフォワード電圧にノイズが乗り、当該電圧が想定範囲を超えたとしても、ツェナーダイオードＺＤ１によりそのフォワード電圧は規定値まで低下する。このため、制御ＩＣ４への過電圧供給による故障を防止することができる。
【００３７】
また、トランジスタＴｒ２のベースに入力されるノイズが抵抗Ｒ４により減衰され、これにより、そのノイズ入力に起因するトランジスタＴｒ２の誤動作を防ぐことができる。従って、トランジスタＴｒ２によるトランジスタＴｒ１の状態切替制御が高精度となり、そのため、制御ＩＣ４への供給電圧の調整精度が高くなる。
【００３８】
また、トランジスタＴｒ１のベース−コレクタ間に抵抗Ｒ２が並列接続され、トランジスタＴｒ１のベースに、エミッタ接地したトランジスタＴｒ２のコレクタが接続されているので、トランジスタＴｒ２がオフしたときには、供給経路Ｌ１から抵抗Ｒ２を通ってトランジスタＴｒ２に向う電流に対する抵抗が増え、その電流は少なくなる。このため、抵抗Ｒ２において発生する電力損失を低減することができる。
【００３９】
なお、本発明は、上記の実施形態の構成に限定されるものでなく、使用目的に応じ、様々な変形が可能である。例えば、トランジスタＴｒ１、Ｔｒ２はＮチャンネルＭＯＳＦＥＴであってもよい。
【符号の説明】
【００４０】
１  映像表示装置
２  スイッチング電源装置
３ａ  モニタ（負荷、表示手段）
３ｂ  リモコン受信回路（負荷）
４  制御ＩＣ（制御回路）
５、５ａ、５ｂ  出力回路
６  駆動回路
６１  切替回路
Ｌ１  第１供給経路（第１の供給経路）
Ｌ２  第２供給経路（第２の供給経路）
Ｑ１  スイッチング素子
Ｒ４  抵抗（抵抗素子）
Ｔ１  フライバックトランス
Ｔｒ１、Ｔｒ２  トランジスタ（第１、第２のトランジスタ）
Ｗ１  １次巻線
Ｗ２、Ｗ２１、Ｗ２２  ２次巻線
Ｗ３  ３次巻線
Ｗ３２  タップ（中間タップ）
ＺＤ１  ツェナーダイオード
【図１】
2011155773.tif 000003
【図２】
2011155773.tif 000004